(57)【要約】【課題】切断部によって切断処理されて落下してくる排藁の切断物を、横方向の拡散ラセンによって左右に振分けるにあたり、より均一に切断物を左右に振分けることが可能なコンバインの処理装置を提供することを課題としている。【解決手段】本発明は、脱穀されて排藁となった穀稈を切断処理する切断部２４を備え、該切断部２４で切断処理された切断物を拡散させる横方向の拡散ラセン２６を切断部２４の下方に配置し、切断部２４から落下してくる切断物を受止めて拡散ラセン２６側に留まるように案内するガイド部材２７を、拡散ラセン２６の下方側に隙間Ｓをあけた状態で配置したコンバインの後処理装置において、上記拡散ラセン２６とガイド部材２７との間の隙間Ｓにおける穂先側切断物の案内側が、株元側切断物の案内側よりも狭くなるように前記ガイド部材２７を形成する。【選択図】図５
2013169169.tif 000002
【特許請求の範囲】
【請求項１】
脱穀されて排藁となった穀稈を切断処理する切断部（２４）を備え、該切断部（２４）で切断処理された切断物を拡散させる横方向の拡散ラセン（２６）を切断部（２４）の下方に配置し、切断部（２４）から落下してくる切断物を受止めて拡散ラセン（２６）側に留まるように案内するガイド部材（２７）を、拡散ラセン（２６）の下方側に隙間（Ｓ）をあけた状態で配置したコンバインの後処理装置において、上記拡散ラセン（２６）とガイド部材（２７）との間の隙間（Ｓ）における穂先側切断物の案内側が、株元側切断物の案内側よりも狭くなるように前記ガイド部材（２７）を形成したコンバインの後処理装置。
【請求項２】
ガイド部材（２７）は、穂先側切断物のガイド面である穂先側ガイド面（３８）と、株元側切断物のガイド面である株元側ガイド面（３９）と、穂先側ガイド面（３８）と株元側ガイド面（３９）とを連接する連接面（４１）とを有し、穂先側ガイド面（３８）よりも株元側ガイド面（３９）の方が拡散ラセン（２６）から離間するようにして、該２つのガイド面（３８，３９）をそれぞれ拡散ラセン（２６）に沿う横方向に形成し、連接面（４１）を、株元側ガイド面（３９）から穂先側ガイド面（３８）に向かって拡散ラセン（２６）に次第に近づくように傾斜させた請求項１記載のコンバインの後処理装置。
【請求項３】
連接面（４１）の傾斜を調整する調整手段を設けた請求項２記載のコンバインの後処理装置。
【発明の詳細な説明】
【技術分野】
【０００１】
この発明は、コンバインの後処理装置に関する。
【背景技術】
【０００２】
脱穀されて排藁となった穀稈を切断処理する切断部を備え、該切断部で切断処理された切断物を拡散させる横方向の拡散ラセンを切断部の下方に配置し、切断部から落下してくる切断物を受止めて拡散ラセン側に留まるように案内するガイド部材を、拡散ラセンの下方側に隙間をあけた状態で配置した特許文献１に示すコンバインの後処理装置が公知になっている。
【先行技術文献】
【特許文献】
【０００３】
【特許文献１】特許第４８４７１９４号公報
【発明の概要】
【発明が解決しようとする課題】
【０００４】
上記文献に示すコンバインの後処理装置では、ガイド部材が、穀稈の切断物を左右に振分けるように作用する一方で、排藁となった穀稈の穂先側のボリュームと、株元側のボリュームが異なるため、切断物が左右方向の左右方向の所定位置に偏って落下する場合がある。
本発明は、切断部によって切断処理されて落下してくる排藁の切断物を、横方向の拡散ラセンによって左右に振分けるにあたり、より均一に切断物を左右に振分けることが可能なコンバインの処理装置を提供することを課題としている。
【課題を解決するための手段】
【０００５】
上記課題を解決するため、第１に、脱穀されて排藁となった穀稈を切断処理する切断部２４を備え、該切断部２４で切断処理された切断物を拡散させる横方向の拡散ラセン２６を切断部２４の下方に配置し、切断部２４から落下してくる切断物を受止めて拡散ラセン２６側に留まるように案内するガイド部材２７を、拡散ラセン２６の下方側に隙間Ｓをあけた状態で配置したコンバインの後処理装置において、上記拡散ラセン２６とガイド部材２７との間の隙間Ｓにおける穂先側切断物の案内側が、株元側切断物の案内側よりも狭くなるように前記ガイド部材２７を形成したことを特徴としている。
【０００６】
第２に、ガイド部材２７は、穂先側切断物のガイド面である穂先側ガイド面３８と、株元側切断物のガイド面である株元側ガイド面３９と、穂先側ガイド面３８と株元側ガイド面３９とを連接する連接面４１とを有し、穂先側ガイド面３８よりも株元側ガイド面３９の方が拡散ラセン２６から離間するようにして、該２つのガイド面３８，３９をそれぞれ拡散ラセン２６に沿う横方向に形成し、連接面４１を、株元側ガイド面３９から穂先側ガイド面３８に向かって拡散ラセン２６に次第に近づくように傾斜させたことを特徴としている。
【０００７】
第３に、連接面４１の傾斜を調整する調整手段を設けたことを特徴としている。
【発明の効果】
【０００８】
上記拡散ラセンとガイド部材との間の隙間における穂先側切断物の案内側が、株元側切断物の案内側よりも狭くなるため、横方向の拡散ラセンによって、左右幅全体に亘りより均一に切断物が拡散し、効率的な処理が行われる。
【０００９】
また、ガイド部材は、穂先側切断物のガイド面である穂先側ガイド面と、株元側切断物のガイド面である株元側ガイド面と、穂先側ガイド面と株元側ガイド面とを連接する連接面とを有し、穂先側ガイド面よりも株元側ガイド面の方が拡散ラセンから離間するようにして、該２つのガイド面をそれぞれ拡散ラセンに沿う横方向に形成し、連接面を、株元側ガイド面から穂先側ガイド面に向かって拡散ラセンに次第に近づくように傾斜させ、連接面の傾斜を調整する調整手段を設けたものによれば、傾斜を調整することによって、多様な穀稈に対して均一な拡散が応可能になり、汎用性が向上する。
【図面の簡単な説明】
【００１０】
【図１】本発明を適用した自脱式のコンバインの側面図である。
【図２】図１のコンバインに設置された脱穀装置及び後処理装置の構成を示す側面図である。
【図３】後処理装置の全体構成を示す側面図である。
【図４】後処理装置の全体構成を示す背面図である。
【図５】後処理装置の全体構成を示す下面側斜視図である。
【図６】後処理装置の別実施形態の構成を示す側面図である。
【図７】後処理装置の別実施形態の構成を示す背面図である。
【図８】（Ａ）は調整手段の構成を示す斜視図であり、（Ｂ）は調整手段の他例の構成を示す斜視図である。
【発明を実施するための形態】
【００１１】
図１は、本発明を適用した自脱式のコンバインの側面図であり、図２は、図１のコンバインに設置された脱穀装置及び後処理装置の構成を示す側面図である。コンバインは、圃場の穀稈を刈取って後方搬送する前処理部１を、走行機体２の前側に、昇降駆動可能に連結している。
【００１２】
走行機体２には、左右のクローラ式走行装置３，３によって支持された機体フレーム４上における進行方向左（左）半部に脱穀装置６を設置し、機体フレーム４上の脱穀装置６の右側方にグレンタンク７が配設され、機体フレーム４上におけるグレンタンク７及び脱穀装置６の後方には、後処理装置（カッタ装置）８が設けられ、機体フレーム４上におけるグレンタンク７前方にオペレータが乗込むキャビン９が立設されており、このキャビン９内には、図示しない操縦部が設置され、前記左右のクローラ式走行装置３，３、機体フレーム４、脱穀装置６、グレンタンク７、後処理装置８及びキャビン９等によって走行機体２が構成されている。
【００１３】
上記脱穀装置６は、前後方向の筒状に成形された扱胴１１が軸回りに回転駆動可能に支持された扱室１２と、扱室１２下方の選別室１３とを備えている。選別室１３の上部には、揺動選別体１４が前後揺動可能に支持され、選別室１３の前部下側には、後方斜め上方の選別風を起風する唐箕ファン１６が設置され、選別室１３の後部上側には、後方斜め下方の排出風を起風する排塵ファン１７が設置され、唐箕ファン１６の後方且つ揺動選別体１４の下方には、一番ラセン１８が設けられ、一番ラセン１８の後方且つ揺動選別体１４の下方には、二番ラセン１９が設けられている。
【００１４】
該構成のコンバインによれば、前処理部１で刈取られたて後方搬送される穀稈は、走行機体２の左側面側に設置された前後方向の脱穀フィードチェーン２１に渡される。脱穀フィードチェーン２１は、株元側を保持し且つ扱室１２内に穂先側が挿入された状態で、穀稈を後方搬送する。穀稈は、脱穀フィードチェーン２１による後方搬送過程で、扱室１２内の扱胴１１によって脱穀処理されて排藁になるとともに、扱胴１１で脱穀処理された処理物は、受網２２を漏下して選別室１３に導入される。
【００１５】
選別室１３に落下した処理物は、揺動選別体１４による前後揺動及び唐箕ファン１６からの選別風の影響を殆ど受けずに一番ラセン１８側に落下する一番物と、影響を若干受けて二番ラセン１９側に落下する二番物と、影響をもろに受けて排塵ファン１７側に吹飛ばされる藁屑等の排出物とに選別される。一番物は、一番ラセン１８及び図示しない揚穀ラセンにより、グレンタンク７内に搬送され、籾等の穀粒として該グレンタンク７内に収容される。二番物は、二番ラセン１９及び図示しない還元ラセンにより、選別室１３の上部又は扱室１２に戻される。排出物は、排出風によって、走行機体２の後端部から機外に排出される。
【００１６】
一方、排藁となった穀稈は、排藁チェーン２３等の排藁搬送体により、株元側が左を向くとともに穂先側が右を向いた倒伏状態で、後処理装置８側まで後方搬送される。後処理装置８側に搬送された排藁は、そのまま機外に排出されるが、或いは切断処理された後に機外に排出される。
【００１７】
次に、図３乃至図５に基づき、後処理装置の構成を説明する。
図３乃至図５は、後処理装置の全体構成を示す側面図、背面図及び下面側斜視図である。後処理装置８は、排藁を切断する切断部２４と、切断部２４の真下側に配置された左右方向の拡散ラセン２６と、拡散ラセン２６の前面から下面に至る範囲に沿って配置され且つ後方斜め下方に傾斜する板状の左右方向のガイド体（ガイド部材）２７と、切断部２４及び拡散ラセン２６が内装されて上方側が開口形成されたボックス状の後処理ケース２８と、該後処理ケース２８の上方側開放部分を開閉する切換板２９とを備えている。
【００１８】
上記切換板２９は、後端部を支点に上下回動するように、後処理ケース２８の開放端部の後縁側に支持され、この上下回動によって、該切換板２９が、前方に倒伏して後処理ケース２８の上方側を閉塞する閉塞姿勢と、前方斜め上方に起立して後処理ケース２８の上方側を開放させる開放姿勢とに切換えられる。
【００１９】
上記切断部２４は、左右並列配置された複数のディスク状の掻込刃３１及び切断刃３２を備え、該掻込刃３１を、切断刃３２の前方斜め上方に、側面視一部が互いにラップするようにして配置している。上記複数の掻込刃３１は、該掻込刃３１の中心に挿通される左右方向の掻込軸３３によって、軸回りに回転駆動可能に軸支され、上記複数の切断刃３２は、該切断刃３２の中心に挿通される左右方向の切断軸３４によって、軸回りに回転駆動可能に軸支されている。
【００２０】
上記拡散ラセン２６は、後処理ケース２８の左右の側壁間に軸回りに回転自在に支持された左右方向の拡散軸３６と、拡散軸３６の外周に沿ってスパイラル形状をなすとともに拡散軸３６と一体回転するラセン板３７とを備えている。ラセン板３７は、拡散軸３６の周囲一回り当りの左右長が、拡散軸３６の左右方向中央側よりも左右端部寄り側の方が、短くなるように成形される一方で、このランセ板３７の径は、拡散軸３６の軸方向全体に亘り同一又は略同一である。
【００２１】
以上のような構成によれば、切換板２９を閉塞姿勢に切換えることにより、排藁チェーン２３からの排藁が、後処理装置８の切換板２９上面の傾斜を滑り落ちて、そのまま切断処理されずに機外に排出される。
【００２２】
一方、切換板２９を開放姿勢に切換えることにより、排藁チェーン２３からの排藁が、左右方向の倒伏した状態で、後処理ケース２８内に落下導入される。ちなみに、この際、切換板２９の下面側は、排藁となった穀稈を、後処理ケース２８内にガイドするように作用する。後処理ケース２８内に落下供給された左右方向の排藁は、左右複数の掻込刃３１及び切断刃３２によって、下方に掻込まれながら切断処理され、このようにして、左右複数箇所で切断処理された穀稈の切断物は、拡散ラセン２６の前面側に落下し、該拡散ラセン２６によって、左右方向に均等に拡散されながら機外に落下排出される。
【００２３】
この拡散ラセン２６による切断物の左右方向への拡散作動時、ガイド体２７は、落下してくる排藁を、拡散ラセン２６側に所定時間留まらせるように受流し、これによって、拡散ラセン２６の拡散作用が補助される。
【００２４】
さらに詳しく説明すると、穂先が右側を向くとともに株元が左側を向いた倒伏状態の排藁は、切断部２４によって切断処理されるので、ガイド体２７背面の右寄り部分には、穀稈の穂先側の切断物を受止める穂先側ガイド面３８が形成されるとともに、ガイド体２７背面の左寄り部分には、穀稈の株元側の切断物を受止める株元側ガイド面３９が形成される他、ガイド体２７背面の左右方向中央部が、穂先側ガイド面３８と株元側ガイド面３９とを連接する連接面４１を構成されている。
【００２５】
株元側ガイド面３９及び穂先側ガイド面４１は、拡散軸３６（拡散ラセン２６の軸方向）に沿って平行又は略平行な左右方向に形成されるとともに、株元側ガイド面３９が、穂先側ガイド面４１よりも拡散ラセン２６から離れた位置に配置形成されており、連接面４１は、株元側ガイド面３９から穂先側ガイド面３８に向かって拡散軸３６（拡散ラセン２６）に次第に近づくように、拡散軸３６に対して、斜めに傾斜している。言換えると、この穂先側ガイド面３８と連接面４１と株元側ガイド面３９が、２つの屈曲部分によって３つに区画された単一のガイド面を形成している。
【００２６】
そして、拡散ラセン２６とガイド体２７との間には、拡散軸３６の軸方向全体に亘り隙間Ｓが形成されるが、上述した通り、穂先側ガイド面３８から拡散ラセン２６（具体的には、ラセン板３７の外周端）までの間隔である穂先側間隔Ｄ１は、株元側ガイド面３９から拡散ラセン２６までの間隔である穂先側間隔Ｄ２よりも短いため、上記隙間Ｓの穂先側ガイド面３８側は、株元側ガイド面３９側よりも狭くなっている。
【００２７】
この隙間Ｓの左右方向における違いによって、株元側よりも穂先側のボリュームが小さい排藁の切断物を、より均一に左右に振分けることが可能なる。
【００２８】
次に、図６乃至図８に基づき、後処理装置８の別実施形態について、上述と異なる部分を説明する。
図６，図７は、後処理装置の別実施形態の構成を示す側面図及び背面図である。同図に示すものでは、ガイド体２７が、株元側ガイド面３９を形成する板状の第１ガイド面形成部材４２と、穂先側ガイド面３８及び連接面４１を形成する左右方向の第２ガイド面形成部材４３とを備え、この２つのガイド面形成部材４２，４３が互いに別体形成されている。
【００２９】
第１ガイド面形成部材４２の背面側には、拡散ラセン２７の前方から下方に至る範囲で、後方斜め下方に傾いた傾斜面が形成され、この傾斜面によって穂先側ガイド面３９を形成している。
【００３０】
第２ガイド面形成部材４３は、第１ガイド面形成部材４２の傾斜面の右寄り部分に取付固定される板状部材であって、第２ガイド面形成部材４３の左側の三角部４３ａと、中途側及び右側の方形部４３ｂとの境には、溝状の屈曲部４３ｃが形成され、この屈曲部４３ｃを介して、三角部４３ａを方形部４３ｂに対して屈曲させることが可能になる。
【００３１】
方形部４３ｂの上縁部が、第１ガイド面形成部材４２の傾斜面に取付固定される一方で、三角部４３ａの上縁部も、第１ガイド面形成部材４２の傾斜面にボルト４４（図８参照）で取付固定されている。
【００３２】
この状態において、方形部４３ｂの背面側には、第１ガイド面形成部材４２の傾斜面よりも緩やかな傾斜面が形成され、該方形部４３ｂの傾斜面は、後方に向かって緩やかに下方傾斜した穂先側ガイド面３８になり、傾斜の度合いの相違から、穂先側ガイド面３８は、株元側ガイド面３９よりも拡散ラセン２７から近づいた位置に配置形成される。
【００３３】
また、三角部４３ａの取付用のボルト４４を挿通させる取付孔４２ａが第１ガイド面形成部材４２に穿設され、この取付孔４２ａは、左側に向かって上方傾斜する長孔になっている。この長孔４２ａが連接面４１の傾斜の度合いや位置を調整（傾斜を調整）する調整手段として機能している。
【００３４】
図８（Ａ）は調整手段の構成を示す斜視図であり、（Ｂ）は調整手段の他例の構成を示す斜視図である。同図（Ａ）に示す通り、ボルト４４を取付孔４２ａ内で移動調整すると、三角部４３ａの方形部４３ｂに対する折れ角度が弾性変形され、連接面４１の傾斜度合い及び位置が変更（傾斜調整）される。また、ボルト４４はハンドル付ボルトであり、ナット４６との組合せによって、三角部４３ａを第１ガイド面形成部材４２側に取付固定している。
【００３５】
また、同図（Ｂ）に示す調整手段では、三角部４３ａ及び方形部４３ｂを、第１ガイド面形成部材４２に着脱自在に取付固定する取付具４７を設けている。取付具４７からは、ボルト４７ａが複数突出形成され、このボルト４７ａを挿通させる取付孔４２ａを、該ボルト４７ａ毎に第１ガイド面形成部材４２に穿設している。核取付孔４２ａは、上述の場合と同様、左側に向かって上方傾斜する長孔によって構成する。
【００３６】
このため、第２ガイド面形成部材４３全体の取付位置を、ボルト４７ａが長孔４２ａを移動する範囲内で、変更することができ、これによって、連接部４１の傾斜位置が調整可能になる。さらに、三角部４３ａ側のボルト４７ａのみを長孔４２ａ内で移動させて、連接面４１の傾斜度合を調整することもできる。
【符号の説明】
【００３７】
２４  切断部
２６  拡散ラセン
２７  ガイド体（ガイド部材）
３８  穂先側ガイド面
３９  株元側ガイド面
４１  連接面
Ｓ  隙間
【図１】
2013169169.tif 000003
【図２】
2013169169.tif 000004
【図３】
2013169169.tif 000005
【図４】
2013169169.tif 000006
【図５】
2013169169.tif 000007
【図６】
2013169169.tif 000008
【図７】
2013169169.tif 000009
【図８】
2013169169.tif 000010